(57)【特許請求の範囲】
【請求項１】
手動開閉が可能であり、係合を引外すことで手動閉状態でも開閉機構部に連動する接点を開とすることができる回路遮断器において、電磁コイルによる吸引動作に連動する連動部材を有し、遮断器の開閉機構部に係合する引外し部材は、前記連動部材と２段階で当接するように、第１当接部と第２当接部を有し、第１当接部は第２当接部より前記引外し部材の回転中心から遠い位置に設けられ、前記連動部材によって第１当接部を一定量回動させ、次に第２当接部を回動して遮断器の開閉機構部の係合を引外すような２段階の当接部を設けた引外し部材を有すことを特徴とした回路遮断器。
【発明の詳細な説明】
【０００１】
【産業上の利用分野】
本件の発明は回路遮断器に係り、特に電磁式引きはずし素子を有す回路遮断器に関する。
【０００２】
【従来の技術】
従来このような電磁引外し素子を有する回路遮断器は、電磁コイルによる連動部材の吸引動作の回動量と、遮断器の開閉機構部に係合する引外し部材の係合を引外すのに必要な回動量の関係によって、連動部材と引外し部材の当接位置が決定される構造となっていた。連動部材と引外し部材は、共にそれぞれの回転中心からの距離により、当接位置での回動量および力が決まる。一般的には回動量が開閉機構部の係合を引外すのに十分な余裕が持てる位置に当接するように設計する。図１にその例を示す。電磁コイル４に電流が流れると、電磁コイル４周辺の磁性体部材３に磁気回路が形成される。電流が設定値以上になると形成された磁気回路の吸引力により、連動部材２の一端が引外し部材５を押し、開閉機構部１の係合を引外し開状態とする。したがって、電磁コイルの巻数は、開閉機構部を開状態にするために必要な吸引力を得るために設定されていた。
【０００３】
【発明が解決しようとする課題】
電磁引外し素子を有する回路遮断器では、電磁コイルによる吸引動作に連動する連動部材と、遮断器の機構部に係合する引外し部材との回動量の関係によって、電磁コイルの巻数は設定されるため、電磁コイルをそれ以上小型化できないといった問題があった。
【０００４】
そこで本件の発明の目的とするところは、電磁コイルの巻数を減らして小型化を図り、吸引力を効率よく開閉機構部の引外し部材に伝達し、係合を引外し接点を開状態にできる回路遮断器を提供しようとするものである。
【０００５】
【課題を解決しようとするための手段】
上述の目的を達成するため本件発明では、手動開閉が可能であり、係合を引外すことで手動閉状態でも開閉機構部に連動する接点を開とすることができる回路遮断器において、電磁コイルによる吸引動作に連動する連動部材を有し、遮断器の開閉機構部に係合する引外し部材は、前記連動部材と２段階で当接するように、第１当接部と第２当接部を有し、第１当接部は第２当接部より前記引外し部材の回転中心から遠い位置に設けられ、前記連動部材によって第１当接部を一定量回動させ、次に第２当接部を回動して遮断器の開閉機構部の係合を引外すような２段階の当接部を設けた引外し部材を有すものである。
【０００６】
【作用】
本件の発明によれば、電磁コイルの巻数を減らして小型化が図れ、吸引力を効率よく引外し部材に伝達し、係合を引外し接点を開状態にできる回路遮断器を得られる。
【０００７】
【実施例の説明】
以下に本件発明を図面を用いて詳細に説明する。
【０００８】
図２に本発明の回路遮断器の実施例を示す。９は電磁コイル、６は開閉機構部、８は磁性体部材である。７は電磁コイルによる吸引動作に連動する連動部材で磁性体で構成してある。連動部材７が回動すると、後に記述する引外し部材と当接する構造となっている。
【０００９】
図２〜図４において、１０は遮断器の開閉機構部６に係合する引外し部材である。この係合を引外すことにより遮断器を開状態とすることができる。引外し部材１０には、連動部材７と当接する第１当接部１１と第２当接部１２が設けられており、引外し部材１０の回転中心１６から距離が長い方が第１当接部１１、短い方が第２当接部１２である。かつ、連動部材７の回転中心１７から見ると、距離が短い方が第１当接部、距離が長い方が第２当接部となるように配置されている。連動部材７が第１当接部１１に接触する位置では、連動部材７と電磁コイル９の磁気ギャップＬ４が大きいので吸引力が弱く、第２当接部１２に接触する位置では、連動部材７と電磁コイル９の磁気ギャップＬ４が小さいので吸引力が強くなる。
【００１０】
電磁コイル９に電流が流れることにより、電磁コイル９の周辺の磁性体部材８に磁気回路が形成される。電磁コイル９に設定値以上の電流が流れたときに、電磁コイル９による吸引力により連動部材７が回動し、一端が引外し部材１０の第１当接部１１と当接する。図３にその例を示す。この段階では、引外し部材１０はその回転中心１６から遠い位置で連動部材７によって押されるので、軽い力で回動可能となるとともに、連動部材７側は回転中心１７から見た時、電磁コイル９の吸引部までのうでの長さＬ１に対し、第１当接部１１までのうでの長さＬ２が短いため、連動部材７が引外し部材１０を回動させる力はＬ１／Ｌ２倍に拡大され、磁気ギャップＬ４が大きく、吸引力が弱くても引外し部材１０を回動可能となる。
【００１１】
次に、連動部材７が回動するにつれて、連動部材７と引外し部材１０の当接位置が第１当接部１１から第２当接部１２に変化する。図４にその例を示す。この段階では、引外し部材１０はその回転中心１６から近い位置で連動部材７によって押され、第１当接部１１を押す場合に比べ強い力が必要となり、また連動部材７側も回転中心１７から見た時、電磁コイル９の吸引部までのうでの長さＬ１に比べ、第２当接部１２までのうでの長さＬ３の方が長くなり、連動部材７が引外し部材１０を回動させる力はＬ１／Ｌ３倍に低減されるが、磁気ギャップＬ４が小さいので、連動部材７には、非常に強い吸引力が発生し、引外し部材１０を引き続き回動し続ける。また、連動部材７の回動量に対し引外し部材１０の回動量は相対的に大きくなる。
【００１２】
つまり、連動部材７と、引外し部材１０の当接部において、電磁コイル９による連動部材７の吸引力が弱いときは、連動部材７のモーメントによる力が強い位置で、引外し部材１０のモーメントによる力が軽い位置を押し、電磁コイル９による連動部材７の吸引力が強いときに引外し部材１０のモーメントによる力が強い位置を押すことになり、電磁コイル９の吸引力が引外し部材１０に有効に伝達される。したがって、従来の電磁引外し素子を有する回路遮断器で、引外し部材を引外す吸引力に余力がなく、電磁コイルの巻数を増やさなければならない場合でも、電磁コイルの巻数を増やさずに、より効率的に開閉機構部の係合を引外すことができる。
【００１３】
【発明の効果】
以上のように、請求項１の発明によれば、電磁コイルの小型化が図れ、吸引力を効率よく遮断器の開閉機構部に係合する引外し部材に伝達し、係合を引外し開閉機構部を開状態にできる回路遮断器を得られる。
【図面の簡単な説明】
【図１】  従来の電磁引外し素子を有する回路遮断器の例
【図２】  本件発明の回路遮断器の例
【図３】  引外し動作の例１
【図４】  引外し動作の例２
【符号の説明】
１    開閉機構部Ａ
２    連動部材Ａ
３    磁性体部材Ａ
４    電磁コイルＡ
５    引外し部材Ａ
６    開閉機構部Ｂ
７    連動部材Ｂ
８    磁性体部材Ｂ
９    電磁コイルＢ
１０  引外し部材Ｂ
１１  第１当接部
１２  第２当接部
１３  端子板
１４  固定接触子
１５  可動接触子
１６  引外し部材の回転中心
１７  連動部材の回転中心
【図１】
0004191833.tif 000002
【図２】
0004191833.tif 000003
【図３】
0004191833.tif 000004
【図４】
0004191833.tif 000005